(57)【要約】【課題】基準寸法値を決定するさいに計算を省き、目盛の取り違いを防ぎ、零点がずれないように正確な基準寸法値を算出するさいに組合せ等分という複雑な地割作業を正確かつ迅速に行うことができ、手まり作りが不慣れな方でも手軽に楽しむことができる手まりの製造方法の開発を課題とする。【解決手段】土台まり（２）の基本寸法位置に複数の待針を打ち、前記複数の待針の一つに地割糸を引っ掛け、前記待針を中心に４巻きし、次に、異なる待針に同様に地割糸を引っ掛け、待針部を中心にして大円部を３巻し、次に、異なる待針に同様に地割糸を引っ掛け、待針部を中心にして大円部を２巻し、次に、異なる待針に同様に地割糸を引っ掛け、待針部を中心にして大円部を１巻し、その後、土台まり（２）の表面には球面三角形が形成され、これらを基準に模様かがりを行うことを特徴とする。【選択図】図４
2011250986.tif 000002
【特許請求の範囲】
【請求項１】
平面（１００）には基本寸法を設けるために球面三角形から割り出された目盛が形成され、背面（２００）は、公知の直定規と同一である目盛が形成された手まり用定規（１）を用いて、市販されている紙テープ（不図示）に土台まり（２）の全円周の長さに等分な折り目をつけ線を印し、土台まり（２）表面の縦地割を行い、次に、前記手まり用定規（１）の平面（１００）を上にし、目盛零点のフック部（１２ａ）を土台まり（２）の北極点に引っ掛けると共に、基本寸法を設けるために球面三角形から割り出された目盛は右側に位置させ、前記土台まり（２）の大円部の全円周長の所に待針を縦地割線１本おきに打ち、次に、反対側の土台まり（２）の南極点に前記手まり用定規の目盛零点のフック部（１２ａ）を引っ掛けると共に、基本寸法を設けるために球面三角形から割り出された目盛は右側に位置させ、前記土台まり（２）の大円部の全円周長の値を読み、基準寸法に待針（不図示）を打つ、以上の工程により、前記土台まり（２）の基本寸法位置に複数の待針を打ち、前記複数の待針の一つに地割糸を引っ掛け、前記待針を中心に４巻きし、次に、異なる待針に同様に地割糸を引っ掛け、待針部を中心にして大円部を３巻し、次に、異なる待針に同様に地割糸を引っ掛け、待針部を中心にして大円部を２巻し、次に、異なる待針に同様に地割糸を引っ掛け、待針部を中心にして大円部を１巻し、その後、土台まり（２）の表面には球面三角形が形成され、これらを基準に模様かがりを行うことを特徴とする手まり製造方法。
【請求項２】
前記手まり用定規（１）は、目盛零点２ヶ所のフック部（１２ａ、１２ｂ）に直径１ｍｍの円を有し、待針の軸が零点を基準になることを特徴とする請求項１記載の手まり製造方法。
【発明の詳細な説明】
【技術分野】
【０００１】
本発明は、手まりの組合せ等分の地割作業に用いる手まり用定規を用い、土台まりの表面に球面正三角形を地巻き糸にて形成し、これらを基準に模様かがりを行う手まり製造方法に関するものである。
【背景技術】
【０００２】
従来の技術では、市販されている紙テープに土台まりの全円周の長さに等分な折り目をつけ、線を印し、土台まり表面の紙テープの線を確認しながら、赤道部点に待針を打ち、次に、地巻き糸を土台まりの赤道部の待針を通るようにして土台まりの北極点と南極点を結ぶ経線に沿って巻いて、これらの地巻き糸にて土台まりを縦方向に地割りするという手法がとられていた。この土台まりを、縦地割済み土台まりという。
この手法では、基本寸法を決定するために以下の式を利用する。特許文献1及び非特許文献1より
１０等分：Ｌ＝Ｃ／６＋Ｃ／１００（Ｃ：土台まりの大円部の全円周長  Ｌ：基本寸法）
６等分：Ｌ＝Ｃ／６＋３Ｃ／１００（Ｃ：土台まりの大円部の全円周長  Ｌ：基本寸法）
前記式より算出した基本寸法Ｌを、北極点又は南極点に、市販されている巻尺の零点に合わせてＬの値を読みながら待針を打っていくようにしていた。
しかし、この手法だと計算が面倒で、しばしば巻尺の零点がずれて正確なＬ値に待針を打つことが出来なかった。
また、従来技術としての手まり用定規には、縦地割済み土台まりの１０等分組合せの地割作業時に使用する角度θ＝７２°を有し、Ｖ字型で形成された本体の両側縁には、公知の直定規と同一の等間隔の目盛が付されている手まり用定規が提案されており、この手まり用定規ではθ＝７２°を有することにより、一回定規を当てることで同時に２ヶ所に待針を打つことができるというものがある。
【先行技術文献】
【特許文献】
【０００３】
【特許文献１】特開平５−１３１０３９号
【非特許文献】
【０００４】
【非特許文献１】高原曄子「高原曄子の花てまり入門」マコー社出版  １９９５年
【発明の概要】
【発明が解決しようとする課題】
【０００５】
しかしながら、この手まり用定規は、基本寸法Ｌ値を土台まりの円周より求める必要があり計算に多大な時間が必要であった。又、非特許文献1に開示されているような土台まりの円周と基本寸法の関係表よりＬ値を算出するような場合において目盛のとり違いにより土台まりの表面の球面三角形部が歪み、かがり摸様が不揃いになるという問題があった。本発明は、上記のような課題に鑑み、その課題を解決すべく創案されたものであって、その目的とするところは、基準寸法Ｌ値を決定するさいに計算を省き、目盛の取り違いを防ぎ、零点がずれないように正確な基準寸法Ｌ値を算出するさいに組合せ等分という複雑な地割作業を正確かつ迅速に行うことができ、手まり作りが不慣れな方でも手軽に楽しむことができる手まりの製造方法を提供することにある。
【課題を解決するための手段】
【０００６】
上記目的を達成するために提案された本発明の手まり製造方法は、平面（１００）には基本寸法を設けるために球面三角形から割り出された目盛が形成され、背面（２００）は、公知の直定規と同一である目盛が形成された手まり用定規（１）を用い、市販されている紙テープ（不図示）に土台まり（２）の全円周の長さに等分な折り目をつけ線を印し、土台まり表面の縦地割を行い、次に、前記手まり用定規（１）の平面（１００）を上にし、目盛零点のフック部（１２ａ）を土台まりの北極点又は南極点に引っ掛けると共に、基本寸法を設けるために球面三角形から割り出された目盛は右側に位置させ、前記土台まり（２）の大円部の全円周長の所に待針を縦地割線１本おきに打ち、次に、反対側の土台まりの北極点に前記手まり用定規（１）の目盛零点のフック部（１２ａ）を引っ掛けると共に、基本寸法を設けるために球面三角形から割り出された目盛は右側に位置させ、前記土台まり（２）の大円部の全円周長の値を読み、基準寸法に待針を打つ、以上の工程により前記土台まりの基本寸法位置に複数の待針を打ち、前記複数の待針の一つに地割糸を引っ掛け、前記待針を中心に４巻きし、次に、異なる待針に同様に地割糸を引っ掛け、待針部を中心にして大円部を３巻し、次に、異なる待針に同様に地割糸を引っ掛け、待針部を中心にして大円部を２巻し、次に、異なる待針に同様に地割糸を引っ掛け、待針部を中心にして大円部を１巻する。その後、土台まり（２）の表面には球面三角形が形成され、これらを基準に模様かがりを行うことを特徴とするものである。
【発明の効果】
【０００７】
本発明の手まり製造方法によれば、手まりの基本寸法を設けるために球面三角形から割り出された目盛を有する手まり用定規（１）を用いて、土台まり（２）表面に球面三角形を正確に形成することができ、手まり作りに不慣れな方でも土台まり（２）表面に球面三角形を正確に形成することができ、土台まり（２）の大円部の全円周長より算出される基本寸法の計算をいちいち行う必要がなくなる。
本発明の構成物品である手まり用定規（１）は、先端がフック状に形成されているので待針の軸に手まり用定規（１）を引っ掛けることが出来き、目盛零点２ヶ所のフック部に直径１ｍｍ程度の円を有し、待針の軸が正確に零点をおさえることができる。その為、本発明の構成物品である手まり用定規（１）は使い勝手に優れる効果がある。
【図面の簡単な説明】
【０００８】
【図１】本発明の手まり製造方法に使用される手まり用定規を示す平面図
【図２】同上の手まり用定規を示す背面図
【図３】同上の手まり用定規の先端部分の拡大図
【図４】同上の手まり用定規の使用状態を示す図
【図５】１０等分の組合せにより地割を行う手まり製造の一工程を示す図
【図６】１０等分の組合せにより地割を行う手まり製造の一工程を示す図
【図７】１０等分の組合せにより地割を行う手まり製造の一工程を示す図
【図８】１０等分の組合せにより地割を行う手まり製造の一工程を示す図
【発明を実施するための形態】
【０００９】
以下、本発明を図示の実施形態に基づいて説明する。図１〜図４は、手まり用定規を示している。
【実施例】
【００１０】
本発明の構成物品である、手まり用定規（１）は、平面（１００）には土台まり（２）の大円部の円周長及び土台まり（２）を等分する数に応じて、球面三角形から割り出された基本寸法の目盛が等間隔で付され（１１）、背面（２００）は長手の一辺に目盛の刻み線（２１）が１ｍｍ毎に付されている。目盛の刻み線（２１）は公知の直定規と同一であり、それぞれ平行であり、１ｃｍ毎の刻み線が長く、またその中間の５ｍｍの刻み線が中間の長さを持つ。１ｍｍ間隔に記された目盛が付されている。（図１、図２）
例えば、１０等分の場合の場合には、図８に示すように、点Ｎ、Ｎ１間、点Ｎ１、Ｎ２間、点Ｎ２、Ｎ間の基本寸法Ｌは、
Ｌ＝Ｃ／６＋Ｃ／１００（Ｃ：土台まりの大円部の全円周長  Ｌ：基本寸法）という性質がある。
Ｌは、Ｃの０．１７７倍であり、１目盛りの実長は、１ｃｍ×０．１７７＝０．１７７ｃｍとし、円周２１ｃｍでは、２１目盛を読み３．７１７ｃｍの実長としている。（図４）
したがって、例えば円周が３５ｃｍの土台まりでは、手まり用定規（１）の平面（１００）を上にし、３５目盛の所に待針を打てば、計算しなくても１０等分縦地割済み土台まりに組合せの基本寸法の基準点を設けることができる。
また、縦地割済み土台まりが、例えば６等分の場合には
Ｌ＝Ｃ／６＋３Ｃ／１００（Ｃ：土台まりの大円部の全円周長  Ｌ：基本寸法）という性質がある。Ｌは、Ｃの０．１９７倍であり、１目盛の実長は、１ｃｍ×０．１９７＝０．１９７ｃｍとし、円周２１ｃｍでは、２０目盛を読み４．１３７ｃｍの実長としている。
したがって、例えば円周が３５ｃｍの土台まりでは手まり用定規の平面を上にし、３５目盛の所に待針を打てば、計算しなくても６等分縦地割済み土台まりに組合せの基本寸法の基準点を設けることができる。
【００１１】
次に、１０等分の組合せの地割を行う方法を順を追って説明する。
（１）  土台まりの製作工程
籾殻（不図示）を薄紙（不図示）の上に敷き詰めて、手で丸く包み込み、地巻き糸（不図示）を緩まないようにしっかりと巻きつけていき球状に形を整える。これらを、土台まり（２）という。尚、土台まりの製作方法を適宜変更することができる。
（２）  １０等分の縦地割を行う。
土台まり（２）を地球に見立て最も北端を北極点、最も南端を南極点、地球表面と交わる大円部を赤道とし市販されている紙テープ（不図示）を土台まり（２）の大円部に巻き（不図示）余分を折り返し、位置を何箇所か変えて巻きつけ、大円部の長さが同じか確認し、紙テープの余分を切り取り、土台まりの大円部の全円周長の長さと同じ長さの紙テープを形成する。
次に前記紙テープ（不図示）を半分に折り、紙テープの表面の折り山に２分の一に印をつけ、紙テープを土台まり（２）の大円部に沿わした状態で、紙テープが突き合わせた位置に待針を打ち、２分の一の折り曲げ線の位置する部分にも待針を打つ、１回では決めずに北極点にテープ端を合わせながら、何回か位置をかえてテープを巻き、北極点（Ｎ）及び南極点（Ｓ）を決定する。
次に、前記紙テープ（不図示）を４分の一に折り曲げて折り曲げ線を印、北極点に紙テープ端を合わせて４分の一の折り曲げ線の位置に待針をうち、紙テープをずらしながら１周し、赤道上に待針を適当に１０本打つ。
次に、前記紙テープに１０等分の印をつけ、１０等分の印をつけたテープの端を待針で固定し、赤道上の待針に沿ってテープを巻き１０等分の印の位置に待針を打ち直し、赤道上に１０等分の印を付ける。（Ａ１、Ａ２、Ａ３・・・）
次に、地巻き糸を土台まり（２）の赤道部の待針を通るようにして土台まり（２）の北極点と南極点を結ぶ経線に沿って巻いて、これらの地巻き糸にて土台まり（２）を縦方向に地割りする。前記土台まりを、縦地割済み土台まりという。（図５）
（３）  １０等分の組合せを行う。
１０等分用の手まり用定規（１）の平面（１００）を上にし、目盛零点のフック部（１２ａ）を土台の北極点（Ｎ）に引っ掛けると共に、基本寸法を設けるために球面三角形から割り出された目盛は右側に位置させ、前記土台まり（２）の大円部の全円周長の所に待針を縦地割線１本おきに打ち、土台まり（２）の表面に基準寸法Ｌ点（４）を示す待針で印をつける。（Ｎ１、Ｎ２、Ｎ３・・・）（図４、図６）
次に、目盛零点のフック部（１２ａ）を土台の南極点（Ｓ）に引っ掛けると共に、基本寸法を設けるために球面三角形から割り出された目盛（１１）は右側に位置させ、前記土台まり（２）の大円部の全円周長の所に待針を縦地割線１本おきに打って、土台まり（２）の表面に基準寸法を示す待針で印をつける。（Ｓ1、Ｓ２、Ｓ３…）（図６）
次に、これらの複数の待針の一つ（Ｎ１）に地割糸を引っ掛け、前記待針を中心に４巻きし、次に、異なる待針に同様に地割糸を引っ掛け、待針部を中心にして大円部を３巻し、次に、異なる待針に同様に地割糸を引っ掛け、待針部を中心にして大円部を２巻し、次に、異なる待針に同様に地割糸を引っ掛け、待針部を中心にして大円部を１巻し、土台まり（２）の表面に球面三角形を多数形成する。（図７、図８）
（３）模様をかがる
最後に、土台まり（２）の表面には球面三角形が形成され、これらを基準に模様かがりを行う。
【００１２】
前記手まり用定規（１）の先端（１２、２２）はフック状の形態を有し、待針を引っ掛けることができる。本実施例は、フック状の形態に形成されたものを使用したが、上記実施例に限定されるものではなく、待針を引っ掛けることができれば他の形状にかえても良いものとし、たとえば円弧としてもよい。尚、先端部は透明としても良いものとする。（図３）
【００１３】
前記の手まり用定規（１）は、目盛零点２ヶ所のフック部に直径１ｍｍの円（１２ａ、１２ｂ）を有し、待針の軸が正確に零点をおさえることができるように構成されている。これにより、零点の位置を的確に把握することができ、目盛の取り違いをふせぎ、地割を正確かつ迅速に行うことができる。零点が不当にずれるといった不都合を適切に防止することができる。（図１、図２）
【００１４】
前記手まり用定規（１）は、それぞれ、紙の両面に樹脂フィルムをラミネート加工により粘着して形成されたものであり、土台まり（２）の球面上にそって値をおさえることができる。
本実施例は、紙の両面に樹脂フィイルムをラミネート加工により粘着して形成されたものを使用したが球面にそって値をおさえる事ができる硬度、厚み及び伸縮性あれば他の材質にかえても良いものとする。
【００１５】
以上は、１０等分の各組合せにより地割りを行って模様を形成する手まりの製造方法について説明したが、他の種類の等分により地割を行って模様を形成する場合も、同じ要領で行えば良い。
【００１６】
本発明の実施形態を説明したが、本発明の技術的範囲は上記した実施形態に限定されるものではない。本発明に関わる手まり用定規（１）の各部の具体的な構成は、発明の思想から逸脱しない範囲内で種々の変更が可能である。本実施例では、目盛零点のフック部の円を直径１ｍｍとしたが、この円の直径は１ｍｍに限定されるものではなく、使用する待針の軸の径に滑らかに引っ掛けられる直径であれば良いものである。例えば、０．８ｍｍ〜１．２ｍｍ程度であれば良い。
【符号の説明】
【００１７】
１                                      手まり用定規
１００                                  手まり用定規平面
２００                                  手まり用定規背面
１１、２１                              目盛の刻み線
１２、２２                              手まり用定規先端部
１２ａ、１２ｂ                          目盛零点のフック部
２                                      土台まり
３                                      地割糸
４                                      基準寸法Ｌ点
Ｎ                                      北極点
Ｓ                                      南極点
Ｎ１〜Ｎ５、Ｓ１〜Ｓ３                  等分の組合せ基準寸法点
Ａ１〜Ａ６                              赤道部等分点
【図１】
2011250986.tif 000003
【図２】
2011250986.tif 000004
【図３】
2011250986.tif 000005
【図４】
2011250986.tif 000006
【図５】
2011250986.tif 000007
【図６】
2011250986.tif 000008
【図７】
2011250986.tif 000009
【図８】
2011250986.tif 000010